(57)【要約】【課題】光ピックアップの位置を適切に検出できるディスク装置の提供。【解決手段】ディスク装置に、モータ軸部材２５１の軸方向への振動によりピックアップボディ３０１を移動させる移動用モータ２５０と、駆動伝達部３１２をピックアップボディ３０１に連結する連結部３１１と、軸方向がピックアップボディ３０１の移動方向と略一致する状態で設けられたリードスクリュ２６０と、このリードスクリュ２６０に係合するラック３１３Ａを有し駆動伝達部３１２に連結されたスクリュ係合部３１３と、リードスクリュ２６０の回転状態に基づいて光ピックアップ３０４の位置を検出する位置検出部２８０および位置算出手段と、を設けた。【選択図】図２
2008251069.tif 000002
【特許請求の範囲】
【請求項１】
ディスク状の記録媒体に記録された情報を処理する光ピックアップの位置を検出するピックアップ位置検出装置であって、
前記記録媒体の面方向に略沿って移動可能に設けられ、前記光ピックアップを保持するピックアップボディと、
棒状のモータ軸部材、および、このモータ軸部材における軸方向の一端側に設けられ前記モータ軸部材を軸方向に振動させる軸振動部を備えた移動用モータと、
共振する材料により形成された駆動伝達部と、
前記モータ軸部材における周方向に沿った所定位置に前記駆動伝達部を接触させる状態で、前記ピックアップボディおよび前記駆動伝達部を連結する連結部と、
外周面に螺旋状に形成された係合溝を有し、軸方向が前記ピックアップボディの移動方向と略一致しかつ軸を中心に回転可能に設けられたリードスクリュと、
このリードスクリュの前記係合溝に係合するラックを有し前記ピックアップボディに連結されたスクリュ係合部と、
前記リードスクリュの回転状態に基づいて前記光ピックアップの位置を検出する位置検出手段と、
を具備したことを特徴としたピックアップ位置検出装置。
【請求項２】
請求項１に記載のピックアップ位置検出装置であって、
共振する材料により形成され、前記連結部、前記駆動伝達部、および、前記スクリュ係合部を有する駆動伝達連結部材を具備した
ことを特徴としたピックアップ位置検出装置。
【請求項３】
請求項１または請求項２に記載のピックアップ位置検出装置であって、
前記スクリュ係合部は、前記ピックアップボディに前記記録媒体の一面に略直交する方向から取り付けられ、
前記ラックは、前記記録媒体の一面に略直交する方向から前記係合溝に係合する状態で設けられた
ことを特徴としたピックアップ位置検出装置。
【請求項４】
請求項１または請求項２に記載のピックアップ位置検出装置であって、
前記ラックは、前記記録媒体の一面に略沿った方向から前記係合溝に係合する状態で設けられた
ことを特徴としたピックアップ位置検出装置。
【請求項５】
請求項３または請求項４に記載のピックアップ位置検出装置であって、
前記スクリュ係合部は、弾性変形可能な材料により形成され、前記弾性変形による付勢力で前記ラックを前記リードスクリュに押し付ける状態で設けられた
ことを特徴としたピックアップ位置検出装置。
【請求項６】
請求項１ないし請求項５のいずれかに記載のピックアップ位置検出装置であって、
前記ピックアップボディの前記移動をガイドするガイド部材と、
このガイド部材を前記記録媒体に対して接離可能に保持するガイド保持部と、
前記ガイド部材、前記モータ軸部材、および、前記リードスクリュを保持し、前記ガイド部材の前記記録媒体に対して接離する方向への移動に伴い移動可能に設けられた軸部材保持フレームと、
を具備したことを特徴としたピックアップ位置検出装置。
【請求項７】
請求項１ないし請求項６のいずれかに記載のピックアップ位置検出装置であって、
前記リードスクリュの一端側に周方向に沿って鍔状に突出する状態で設けられ、前記周方向に沿って並設された複数のスリットを有する鍔部を具備し、
前記位置検出手段は、所定位置を通過した前記スリットの数に基づいて前記光ピックアップの位置を検出する
ことを特徴としたピックアップ位置検出装置。
【請求項８】
ディスク状の記録媒体を保持するターンテーブルと、
このターンテーブルで保持された前記記録媒体に記録された情報を処理する光ピックアップと、
この光ピックアップの位置を検出する請求項１ないし請求項７のいずれかに記載のピックアップ位置検出装置と、
を具備したことを特徴としたディスク装置。
【発明の詳細な説明】
【技術分野】
【０００１】
本発明は、ピックアップボディで保持された光ピックアップの位置を検出するピックアップ位置検出装置、および、ディスク装置に関する。
【背景技術】
【０００２】
従来、記録媒体に記録された情報を読み取るディスク装置が知られている。（例えば、特許文献１参照）。
【０００３】
特許文献１に記載のものは、一端側がピエゾ素子に固定されるとともに他端側が支持部材に保持されたロッドと、このロッドを摩擦連結面と板ばねとで摩擦保持する光学ピックアップと、を備えている。そして、光ディスクから所定のデータ量ごとに割り当てられたディスク上の記録位置を示すアドレス情報を読み出し、このアドレス情報に基づいて、光学ピックアップの位置を検出する構成が採られている。
【０００４】
【特許文献１】特開２００３−３１７４１０号公報
【発明の開示】
【発明が解決しようとする課題】
【０００５】
ところで、いわゆる書き込み型の記録媒体には、アドレス情報が記録されていない場合が想定される。また、特許文献１のような構成では、ピエゾ素子の駆動信号と、光ピックアップを保持するピックアップボディの移動量との関係が、ピックアップボディの位置によって異なるおそれがある。このため、書き込み型の記録媒体を処理する構成において、光ピックアップの位置を検出するために特許文献１のような構成を適用することができないおそれがある。
【０００６】
本発明は、光ピックアップの位置を適切に検出可能なピックアップ位置検出装置、および、ディスク装置を提供することを１つの目的とする。
【課題を解決するための手段】
【０００７】
請求項１に記載の発明は、ディスク状の記録媒体に記録された情報を処理する光ピックアップの位置を検出するピックアップ位置検出装置であって、前記記録媒体の面方向に略沿って移動可能に設けられ、前記光ピックアップを保持するピックアップボディと、棒状のモータ軸部材、および、このモータ軸部材における軸方向の一端側に設けられ前記モータ軸部材を軸方向に振動させる軸振動部を備えた移動用モータと、共振する材料により形成された駆動伝達部と、前記モータ軸部材における周方向に沿った所定位置に前記駆動伝達部を接触させる状態で、前記ピックアップボディおよび前記駆動伝達部を連結する連結部と、外周面に螺旋状に形成された係合溝を有し、軸方向が前記ピックアップボディの移動方向と略一致しかつ軸を中心に回転可能に設けられたリードスクリュと、このリードスクリュの前記係合溝に係合するラックを有し前記ピックアップボディに連結されたスクリュ係合部と、前記リードスクリュの回転状態に基づいて前記光ピックアップの位置を検出する位置検出手段と、を具備したことを特徴としたピックアップ位置検出装置である。
【０００８】
請求項８に記載の発明は、ディスク状の記録媒体を保持するターンテーブルと、このターンテーブルで保持された前記記録媒体に記録された情報を処理する光ピックアップと、この光ピックアップの位置を検出する請求項１ないし請求項７のいずれかに記載のピックアップ位置検出装置と、を具備したことを特徴としたディスク装置である。
【発明を実施するための最良の形態】
【０００９】
〔ディスク装置の構成〕
まず、本発明の一実施形態に係るディスク装置を図面に基づいて説明する。
図１は、本発明の一実施形態に係るディスク装置の内部構成を部分的に破断して示す平面図である。図２は、ディスク処理部の概略構成を示す斜視図である。図３は、ディスク処理部の要部の概略構成を示す断面図である。
【００１０】
図１において、１００は、ディスク装置であり、このディスク装置１００は、例えば携帯型のパーソナルコンピュータなどの電気機器に装着されるいわゆるスリムディスク装置（或いはスリムディスクドライブ）と称されるものである。このディスク装置１００は、着脱可能に装着される面状の記録媒体、例えばＣＤ（Compact Disc）やＤＶＤ（Digital Versatile Disc）あるいはＢＤ（Blu-ray Disc：ブルーレイディスク）またはＨＤ−ＤＶＤ（High Definition DVD）などにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体１１０を備えている。
【００１１】
ケース体１１０は、底部側の下ケース１１１と天面側の図示しない上ケースとにより構成され、内部に空間を有する略四角箱状に形成されている。このケース体１１０は、一面側に開口部１１２を有している。そして、ケース体１１０内には、トレイ部１２０と、このトレイ部１２０の開口部１１２を介した進退移動を案内するレール部１３０と、トレイ部１２０の進退移動をケース体１１０内にロックする図示しないロック機構と、ディスク装置１００の動作の制御などを実施する図示しない制御回路部とが設けられている。
【００１２】
トレイ部１２０は、トレイ１２１を備えている。このトレイ１２１は、例えば合成樹脂などにて形成された略板状に形成され、ケース体１１０の開口部１１２から進出自在に設けられている。
また、トレイ１２１の一縁側には、トレイ１２１がケース体１１０内部に収納された状態で、ケース体１１０の開口部１１２を閉塞する化粧板１２２が設けられている。
さらに、トレイ１２１の上面側には、記録媒体としての図示しない光ディスクの径寸法より若干大きい円弧状凹部１２３が設けられている。また、トレイ１２１には、化粧板１２２側の一端部から円弧状凹部１２３の略中心に向かってディスク処理部２００が設けられている。
【００１３】
レール部１３０は、ケース体１１０の開口部１１２からトレイ１２１の進退方向に沿って配設され、トレイ１２１の両側面に沿って設けられている。このレール部１３０は、ケース体１１０に固定される一対のレール１３１と、トレイ１２１に摺動可能に設けられるレールガイド１３２と、を備えている。
【００１４】
レール１３１は、開口部１１２の左右両端からケース体１１０の奥側に向かって延出して形成されている。これらのレール１３１は、互いに対向する面が開口する断面略コ字状の凹溝を備えて形成され、この凹溝にそれぞれレールガイド１３２が摺動自在に支持されている。また、レール１３１には、図示しない摺動規制部が設けられており、レールガイド１３２の摺動範囲を規制している。すなわち、レール１３１の摺動規制部は、開口部１１２側にレールガイド１３２が移動した際に、レールガイド１３２が凹溝から外れて抜け落ちるのを防止している。
【００１５】
レールガイド１３２は、トレイ１２１の両側面にそれぞれ設けられており、前述したように、レール１３１の凹溝に摺動可能に保持されている。また、レールガイド１３２は、トレイ１２１に対して摺接自在に取り付けられている。また、トレイ１２１には、図示しない移動規制部が設けられており、この移動規制部によりレールガイド１３２は摺動範囲を規制され、トレイ１２１がレールガイド１３２からの抜け落ちを防止している。
【００１６】
トレイ部１２０に設けられたディスク処理部２００は、図１および図２に示すように、例えば金属板にて略板状に形成され一端が揺動自在にトレイ１２１に支持された台座部２１０を有している。この台座部２１０は、トレイ１２１の化粧板１２２側の一端部から、中心位置に向かって長手に形成されている。また、台座部２１０には、長手方向に沿って、長手状の処理開口部２１１が略中央に切欠形成されている。そして、台座部２１０の処理開口部２１１の一端側にディスク回転駆動手段２２０が配設されている。
【００１７】
ディスク回転駆動手段２２０は、図示しないスピンドルモータと、このスピンドルモータの出力軸に一体的に設けられたターンテーブル２２１と、を備えている。スピンドルモータは、制御回路部に制御可能に接続され、制御回路部から供給される電力により駆動する。ターンテーブル２２１は、トレイ１２１の略中心部に設けられるとともに光ディスクを回転可能に保持する。
【００１８】
また、台座部２１０には、処理移動手段２３０が配設されている。この処理移動手段２３０は、ガイド部２４０と、移動用モータ２５０と、リードスクリュ２６０と、軸部材保持フレーム２７０と、位置検出部２８０と、などを備えている。
ガイド部２４０は、軸方向が台座部２１０の長手方向に略沿う状態で設けられたガイド部材としての第１ガイドシャフト２４１と、処理開口部２１１を介して第１ガイドシャフト２４１と平行に配設されたガイド部材としての第２ガイドシャフト２４２と、第１ガイドシャフト２４１および第２ガイドシャフト２４２のそれぞれの両端側に設けられたガイド保持部としての４個のシャフト位置調整機構２４３と、を備えている。
【００１９】
第１ガイドシャフト２４１は、第２ガイドシャフト２４２よりも短い丸棒状に形成されている。
【００２０】
シャフト位置調整機構２４３は、第１ガイドシャフト２４１および第２ガイドシャフト２４２を、ターンテーブル２２１で保持された光ディスクに対して接離可能に保持する。そして、シャフト位置調整機構２４３は、一面が閉塞された略四角筒状の支持部２４３Ａと、この支持部２４３Ａの開口された面を閉塞する蓋部２４３Ｂと、を備えている。
支持部２４３Ａは、閉塞された一面が台座部２１０に取り付けられている。また、支持部２４３Ａの内部には、図示しないコイルばねが嵌合されている。さらに、支持部２４３Ａの対向する一対の側面には、第１ガイドシャフト２４１や第２ガイドシャフト２４２の端部が嵌合される軸係合開口部２４３Ａ１が設けられている。
蓋部２４３Ｂの略中央には、止めねじ２４３Ｃが適宜蓋部２４３Ｂを貫通可能に螺合されている。
そして、シャフト位置調整機構２４３は、第１ガイドシャフト２４１や第２ガイドシャフト２４２の端部が軸係合開口部２４３Ａ１に係合されるとともに、コイルばねおよび止めねじ２４３Ｃで狭持される状態で設けられることにより、第１ガイドシャフト２４１および第２ガイドシャフト２４２を光ディスクに対して接離可能に保持する。すなわち、第１ガイドシャフト２４１および第２ガイドシャフト２４２は、止めねじ２４３Ｃの螺合状態が適宜調整されることにより、光ディスクに対する距離や軸方向が調整される。
【００２１】
移動用モータ２５０は、モータ軸部材２５１と、軸振動部としてのピエゾモータ部２５２と、を備えている。
【００２２】
モータ軸部材２５１は、例えばカーボングラファイトなどにより丸棒状に形成されている。このモータ軸部材２５１は、第２ガイドシャフト２４２の近傍に、この第２ガイドシャフト２４２と平行に配設されている。
ピエゾモータ部２５２は、モータ軸部材２５１における一端部に設けられている。このピエゾモータ部２５２は、図示しない電圧印加部により印加される電圧によりモータ軸部材２５１を軸方向に伸縮させて振動させ、後述するピックアップボディ３０１を移動させる。
【００２３】
リードスクリュ２６０は、丸棒に形成され外周面に螺旋状の係合溝２６１が設けられている。
【００２４】
軸部材保持フレーム２７０は、第２ガイドシャフト２４２と、モータ軸部材２５１と、リードスクリュ２６０と、を保持する。
この軸部材保持フレーム２７０は、略長方形板状に形成されたフレーム基部２７１と、このフレーム基部２７１の長手方向一縁側に略垂直に折曲形成された第１立上部２７２と、フレーム基部２７１の長手方向他縁側に第１立上部２７２と略対向する状態に折曲形成された第２立上部２７３と、にて、断面略コ字状に形成されている。
第１立上部２７２には、フレーム基部２７１の短手方向一縁側から他縁側にかけて並設された、第１シャフト孔部２７２Ａと、軸嵌合部２７２Ｂと、第１スクリュ孔部２７２Ｃと、が設けられている。また、第２立上部２７３には、第１シャフト孔部２７２Ａ、軸嵌合部２７２Ｂ、および、第１スクリュ孔部２７２Ｃとそれぞれ対向する状態で、図示しない第２シャフト孔部と、第２軸支持孔部２７３Ｂと、第２スクリュ孔部２７３Ｃと、が設けられている。
そして、第１シャフト孔部２７２Ａおよび第２シャフト孔部は、第２ガイドシャフト２４２の一端側および他端側をそれぞれ支持する。また、軸嵌合部２７２Ｂの第１軸支持孔部２７２Ｂ１および第２軸支持孔部２７３Ｂは、モータ軸部材２５１の一端側および他端側をそれぞれ軸方向に振動可能に支持する。さらに、第１スクリュ孔部２７２Ｃおよび第２スクリュ孔部２７３Ｃは、リードスクリュ２６０の一端側および他端側をそれぞれ軸を中心に回転可能に支持する。
そして、軸部材保持フレーム２７０は、台座部２１０に載置される状態で設けられ、シャフト位置調整機構２４３により第２ガイドシャフト２４２の光ディスクに対する距離や軸方向が調整されると、この調整状態に対応する状態で台座部２１０に対して移動する。
【００２５】
位置検出部２８０は、ピックアップボディ３０１に保持された後述する光ピックアップ３０４の位置を検出する。この位置検出部２８０は、リードスクリュ２６０における第２スクリュ孔部２７３Ｃでの支持部分近傍に設けられた鍔部２８１と、フレーム基部２７１における鍔部２８１の近傍位置に設けられた位置検出手段を構成するセンサ部２８２と、などを備えている。
鍔部２８１は、リードスクリュ２６０の周方向に沿って鍔状に突出する状態で設けられている。この鍔部２８１には、周方向に沿って略等間隔で複数のスリット２８１Ａが設けられている。これら複数のスリット２８１Ａは、鍔部２８１の外縁から径方向中心近傍にかけて長手状に形成されている。
センサ部２８２は、いわゆるフォトセンサであり、センサ本体２８２Ａと、図示しない、発光部と、受光部と、などを備えている。このセンサ本体２８２Ａは、鍔部２８１の一部の一面側に対向する第１対向部２８２Ａ１と、この第１対向部２８２Ａ１に鍔部２８１を介して対向する第２対向部２８２Ａ２と、第１対向部２８２Ａ１および第２対向部２８２Ａ２の一縁を連結する本体連結部２８２Ａ３と、にて平面視で略コ字状に形成されている。
発光部は、第１対向部２８２Ａ１に設けられ、第２対向部２８２Ａ２へ向けて光を出射する。
受光部は、第２対向部２８２Ａ２に設けられ、鍔部２８１のスリット２８１Ａを介して入射される光を受光して、この受光状態に対応する受光信号を制御回路部へ出力する。
【００２６】
さらに、台座部２１０には、処理移動手段２３０に支持された情報処理部３００が配設されている。
この情報処理部３００は、第１ガイドシャフト２４１および第２ガイドシャフト２４２間に架橋する状態で設けられた略長方形板状のピックアップボディ３０１を備えている。このピックアップボディ３０１の長手方向の一縁には、第１ガイドシャフト２４１が係合可能な断面コ字状のガイドシャフト係合部３０２が設けられている。
また、ピックアップボディ３０１の長手方向の他縁には、第２ガイドシャフト２４２が挿通可能なシャフト軸受孔３０３Ａを有する２個のガイドシャフト受部３０３が設けられている。
すなわち、ピックアップボディ３０１は、移動経路の両側縁側に設けられた第１ガイドシャフト２４１および第２ガイドシャフト２４２により、ガイドされつつ移動する。
さらに、ピックアップボディ３０１には、一面３０１Ａから臨む状態で光ピックアップ３０４が配設されている。この光ピックアップ３０４は、光ディスクの記録面に記録された各種情報を読み取って出力回路部へ出力する読取処理や、各種情報を記録面に記録する記録処理を実施する。
【００２７】
また、ピックアップボディ３０１における２個のガイドシャフト受部３０３の間には、駆動伝達連結部材３１０が設けられている。この駆動伝達連結部材３１０は、共振する材料である金属製の板ばねにより構成されている。そして、駆動伝達連結部材３１０は、図１ないし図３に示すように、板ばねを加工することにより設けられた、連結部３１１と、駆動伝達部３１２と、スクリュ係合部３１３と、を備えている。
【００２８】
連結部３１１は、１個の角部が切り欠かれた略長方形板状に形成されている。
駆動伝達部３１２は、連結部３１１の一縁に、連結部３１１の面外方向へ向けて舌片状に突出する状態で一連に設けられている。
スクリュ係合部３１３は、駆動伝達部３１２の一縁に、駆動伝達部３１２とのなす角度が鈍角となる状態に折曲形成されて一連に設けられている。このスクリュ係合部３１３の一面には、リードスクリュ２６０の係合溝２６１に係合するラック３１３Ａが設けられている。
【００２９】
そして、駆動伝達連結部材３１０は、連結部３１１がねじ３１９によりピックアップボディ３０１の一面３０１Ａに面接触し、駆動伝達部３１２がピックアップボディ３０１の一面３０１Ａと略直交する方向からモータ軸部材２５１に線接触し、スクリュ係合部３１３のラック３１３Ａが一面３０１Ａと略直交する方向から係合溝２６１に係合する状態で設けられる。このとき、駆動伝達部３１２およびスクリュ係合部３１３は、光ディスクに近づく方向に弾性変形させられる。これにより、駆動伝達部３１２およびラック３１３Ａは、弾性変形による付勢力で、モータ軸部材２５１および係合溝２６１にそれぞれ押し付けられる。
【００３０】
また、台座部２１０の上面側には、図１に示すように、ＴＭカバー部材２９０が設けられている。
このＴＭカバー部材２９０は、例えばアルミなどの軽量金属により形成され、処理移動手段２３０、情報処理部３００の一部を覆う状態に台座部２１０に固定されている。
そして、ＴＭカバー部材２９０は、光ピックアップ３０４の移動経路、すなわちターンテーブル２２１の径方向に沿って処理開口部２９１が設けられている。この処理開口部２９１により、光ピックアップ３０４が光ディスクの記録面に対向し、記録面に所定波長の光を射出可能となっている。
【００３１】
制御回路部は、光ピックアップ３０４の位置を算出する位置検出手段を構成する図示しない位置算出手段を備えている。
この位置算出手段は、センサ部２８２からの受光信号に基づいて、光が鍔部２８１で遮られて受光できなかった状態と、光がスリット２８１Ａを通過して受光できた状態と、を認識する。さらに、受光できた状態の回数、すなわち光の進行位置をスリット２８１Ａが通過した回数に基づいて、ピックアップボディ３０１の移動に伴うリードスクリュ２６０の回転状態を認識する。そして、この回転状態に基づいて、ピックアップボディ３０１に保持された光ピックアップ３０４の位置を算出する。
【００３２】
なお、ガイド部２４０と、移動用モータ２５０と、リードスクリュ２６０と、軸部材保持フレーム２７０と、位置検出部２８０と、ピックアップボディ３０１と、駆動伝達連結部材３１０と、位置算出手段と、にて、本発明のピックアップ位置検出装置が構成されている。
【００３３】
〔ディスク装置の動作〕
次に、ディスク装置１００の動作について説明する。
【００３４】
（情報処理部の移動処理）
まず、ディスク装置１００の動作として、処理移動手段２３０による情報処理部３００の移動処理について説明する。
【００３５】
まず、ディスク装置１００の制御回路部は、例えば光ディスクに記録された情報の処理が終了した後に、処理移動手段２３０を制御して、情報処理部３００を所定の位置へ移動させる。
具体的には、制御回路部は、電圧印加部を制御して、処理移動手段２３０を構成するピエゾモータ部２５２に高周波の電圧を印加させる。
ピエゾモータ部２５２は、電圧が印加されると、この印加された電圧に対応した状態でモータ軸部材２５１を軸方向に伸縮させて振動させる。
モータ軸部材２５１に接触する駆動伝達部３１２は、モータ軸部材２５１が振動すると、この振動により共振して、モータ軸部材２５１の軸方向に略沿って移動する。そして、駆動伝達部３１２の移動に伴い、情報処理部３００を構成するピックアップボディ３０１は、第１ガイドシャフト２４１および第２ガイドシャフト２４２にガイドされつつ所定の位置まで移動する。
【００３６】
さらに、ピックアップボディ３０１が移動すると、このピックアップボディ３０１に連結されているスクリュ係合部３１３も移動する。さらに、このスクリュ係合部３１３の移動に伴い、リードスクリュ２６０および鍔部２８１が回転する。そして、鍔部２８１が回転すると、センサ部２８２の受光部は、スリット２８１Ａを通過した受光状態に対応する受光信号を制御回路部へ出力する。このとき、スリット２８１Ａが鍔部２８１の周方向に沿って略等間隔に設けられているため、受光部で受光できた状態と、受光できない状態と、が所定タイミングごとに生じることとなる。そして、制御回路部は、受光できた状態の回数に基づいて、リードスクリュ２６０の回転状態に対応する光ピックアップ３０４の位置を検出する。
そして、制御回路部は、この検出した光ピックアップ３０４の位置に基づいて、ピエゾモータ部２５２に印加させる電圧を制御して、ピックアップボディ３０１を所定位置まで移動させる。
【００３７】
（光ピックアップの位置調整処理時における動作）
次に、ディスク装置１００の動作として、光ピックアップ３０４の位置調整処理時における動作について説明する。
【００３８】
まず、例えば、ディスク装置１００の製造者は、ターンテーブル２２１で保持された光ディスクに対して光ピックアップ３０４の位置を調整する必要があると判断した場合、４個のシャフト位置調整機構２４３の止めねじ２４３Ｃの螺合状態を独立的に適宜調整する。
そして、止めねじ２４３Ｃの螺合状態が調整されると、第１ガイドシャフト２４１や第２ガイドシャフト２４２の端部が台座部２１０に対して接離する方向へ移動して、ピックアップボディ３０１は、台座部２１０つまり光ディスクに対して接離する方向へ移動する。
さらに、第２ガイドシャフト２４２が移動すると、この第２ガイドシャフト２４２とともに軸部材保持フレーム２７０に保持されているモータ軸部材２５１、および、リードスクリュ２６０は、駆動伝達部３１２との接触状態、および、スクリュ係合部３１３との係合状態を変化させることなく移動する。
【００３９】
〔ディスク装置の作用効果〕
上述したように、上記実施形態では、ディスク装置１００に、モータ軸部材２５１の軸方向への振動によりピックアップボディ３０１を移動させる移動用モータ２５０と、駆動伝達部３１２をピックアップボディ３０１に連結する連結部３１１と、軸方向がピックアップボディ３０１の移動方向と略一致する状態で設けられたリードスクリュ２６０と、このリードスクリュ２６０に係合するラック３１３Ａを有しピックアップボディ３０１に連結されたスクリュ係合部３１３と、リードスクリュ２６０の回転状態に基づいて光ピックアップ３０４の位置を検出する位置検出部２８０および位置算出手段と、を設けている。
このため、ピックアップボディ３０１の移動に伴うリードスクリュ２６０の回転状態に基づいて、光ピックアップ３０４の位置を検出するので、モータ軸部材２５１の軸方向への振動によりピックアップボディ３０１を移動させる構成において、光ディスクにアドレス情報が記録されているか否かにかかわらず、光ピックアップ３０４の位置を適切に検出できる。
また、光ピックアップ３０４の位置を適切に検出できるので、光ピックアップ３０４で光ディスクに記録された情報を適切に読み取ったり、光ディスクに情報を適切に記録したりすることができる。
【００４０】
そして、連結部３１１、駆動伝達部３１２、および、スクリュ係合部３１３を、板ばねで形成された駆動伝達連結部材３１０で一体的に構成している。
このため、部品点数を減らすことができ、ディスク装置１００の組み立てを容易にできる。
【００４１】
また、駆動伝達連結部材３１０を一面３０１Ａと略直交する方向からピックアップボディ３０１に取り付けるとともに、ラック３１３Ａを光ディスクの一面と略直交する方向から係合溝２６１に係合させている。
このため、駆動伝達連結部材３１０を取り付ける際に、ラック３１３Ａおよびリードスクリュ２６０の位置関係に注意を払うことなく、ラック３１３Ａを係合溝２６１に係合させることができ、製造性を向上できる。
【００４２】
さらに、スクリュ係合部３１３を、弾性変形による付勢力でラック３１３Ａをリードスクリュ２６０に押し付ける状態で設けている。
このため、例えば軸部材保持フレーム２７０の製造公差などにより、リードスクリュ２６０が基準位置から光ディスクの一面と直交する方向にずれたとしても、ラック３１３Ａおよび係合溝２６１の係合状態を維持することができる。したがって、ディスク装置１００の製造ロットによらず、光ピックアップ３０４の位置検出性能のばらつきを抑制できる。
【００４３】
また、ピックアップボディ３０１の移動をガイドする第１ガイドシャフト２４１および第２ガイドシャフト２４２を、光ディスクに対して接離可能に保持するシャフト位置調整機構２４３を設けている。そして、第２ガイドシャフト２４２と、モータ軸部材２５１と、リードスクリュ２６０と、を保持する軸部材保持フレーム２７０を設けている。
このため、シャフト位置調整機構２４３の操作によりピックアップボディ３０１の位置が調整された際に、軸部材保持フレーム２７０が移動するので、モータ軸部材２５１における駆動伝達部３１２との接触状態と、リードスクリュ２６０におけるスクリュ係合部３１３との係合状態と、を変化させることがない。したがって、移動用モータ２５０によるピックアップボディ３０１の適切な移動を維持するとともに、リードスクリュ２６０の回転状態に基づく光ピックアップ３０４の適切な位置検出状態を維持しつつ、光ピックアップ３０４の位置を適切に調整することができる。
【００４４】
さらに、リードスクリュ２６０に、複数のスリット２８１Ａを有する鍔部２８１を設けている。そして、発光部からの光の進行位置をスリット２８１Ａが通過した回数に基づいて、光ピックアップ３０４の位置を算出している。
このため、複数のスリット２８１Ａが光の進行位置を通過する回数に基づいて光ピックアップ３０４の位置を算出するので、例えば１個のスリット２８１Ａを設ける構成と比べて、より詳細な位置を検出できる。さらに、受光状態に基づいて、スリット２８１Ａが所定位置を通過する回数を認識するので、例えば鍔部２８１に接触子などが接触した回数に基づいて認識する構成のときに生じるリードスクリュ２６０の回転への影響を、なくすことができる。
【００４５】
〔実施形態の変形〕
なお、本発明は、上述した一実施形態に限定されるものではなく、本発明の目的を達成できる範囲で以下に示される変形をも含むものである。
【００４６】
すなわち、例えば図４に示すようなディスク処理部４００を適用してもよい。
この図４に示すディスク処理部４００は、上記実施形態の駆動伝達連結部材３１０を駆動伝達連結部材４１０に変更したものである。
具体的には、駆動伝達連結部材４１０は、金属製の板ばねにより構成され、連結部３１１と、駆動伝達部４１２と、スクリュ係合部４１３と、を備えている。駆動伝達部４１２は、連結部３１１の一縁の一端側に、連結部３１１の面外方向へ向けて舌片状に突出する状態で一連に設けられている。スクリュ係合部４１３は、連結部３１１の一縁の他端側に、連結部３１１の面外方向へ向けて舌片状に突出する状態に、かつ、連結部３１１とのなす角度が鈍角となる状態に折曲形成されて一連に設けられている。このスクリュ係合部４１３には、ラック４１３Ａが設けられている。
そして、駆動伝達連結部材４１０は、連結部３１１がねじ３１９により一面３０１Ａに面接触し、駆動伝達部４１２が一面３０１Ａに略直交する方向からモータ軸部材２５１に線接触し、ラック４１３Ａが一面３０１Ａと略直交する方向から係合溝２６１に係合する状態で設けられる。このとき、駆動伝達部４１２およびスクリュ係合部４１３は、光ディスクに近づく方向に弾性変形させられる。これにより、駆動伝達部４１２およびラック４１３Ａは、弾性変形による付勢力で、モータ軸部材２５１および係合溝２６１にそれぞれ押し付けられる。
このような構成にしても、上記実施形態と同様の作用効果を奏することができる。
また、スクリュ係合部４１３を連結部３１１に直接的に連結させているので、例えば軸部材保持フレーム２７０の製造公差などにより、モータ軸部材２５１が基準位置から光ディスクの一面と直交する方向にずれ、駆動伝達部４１２が弾性変形したとしても、ラック４１３Ａおよび係合溝２６１の係合状態を維持することができる。また、リードスクリュ２６０が基準位置から光ディスクの一面と直交する方向にずれ、スクリュ係合部４１３が弾性変形したとしても、駆動伝達部４１２およびモータ軸部材２５１の接触状態を維持することができる。
【００４７】
また、軸部材保持フレーム２７０を設けずに、モータ軸部材２５１およびリードスクリュ２６０を、それぞれ独立的に台座部２１０で支持する構成としてもよい。
【００４８】
そして、上記実施形態や、上述したような軸部材保持フレーム２７０を設けない構成の場合、図５に示すような駆動伝達連結部材５１０を適用してもよい。
この図５に示す駆動伝達連結部材５１０は、上記実施形態のスクリュ係合部３１３をスクリュ係合部５１３に変更したものである。
具体的には、駆動伝達連結部材５１０は、金属製の板ばねにより構成され、連結部３１１と、駆動伝達部３１２と、スクリュ係合部５１３と、を備えている。スクリュ係合部５１３は、駆動伝達部３１２の一縁に、駆動伝達部３１２とのなす角度が略直角となる状態に折曲形成されて一連に設けられている。このスクリュ係合部５１３には、ラック５１３Ａが設けられている。
そして、駆動伝達連結部材５１０は、連結部３１１がピックアップボディ３０１の一面３０１Ａに面接触し、駆動伝達部３１２が一面３０１Ａに略直交する方向からモータ軸部材２５１に線接触し、ラック４１３Ａが一面３０１Ａと略平行な方向から係合溝２６１に係合する状態で設けられる。このとき、駆動伝達部３１２は光ディスクに近づく方向に弾性変形させられ、スクリュ係合部５１３はリードスクリュ２６０から離れる方向に弾性変形させられる。これにより、駆動伝達部３１２およびラック５１３Ａは、弾性変形による付勢力で、モータ軸部材２５１および係合溝２６１にそれぞれ押し付けられる。
このような構成にすれば、例えば軸部材保持フレーム２７０や台座部２１０の製造公差などにより、図６に示すように、モータ軸部材２５１が矢印Ｙの方向にずれて、２点鎖線で示す基準位置から実線で示す位置に移動し、駆動伝達部３１２の弾性変形に伴いスクリュ係合部５１３が光ディスクに近づく方向へ移動したとしても、ラック５１３Ａおよび係合溝２６１の係合状態をほとんど変化させることがない。したがって、ディスク装置１００の製造ロットによらず、光ピックアップ３０４の位置検出性能のばらつきを抑制できる。
なお、図４に示す構成においても、ラック４１３Ａを一面３０１Ａと略平行な方向から係合溝２６１に係合する状態で設けてもよい。
【００４９】
さらに、連結部３１１と、駆動伝達部３１２，４１２と、スクリュ係合部３１３，４１３，５１３と、を別体で構成してもよい。このような別体で設ける構成の場合、駆動伝達部３１２，４１２や、スクリュ係合部３１３，４１３，５１３に付勢力を加える際には、その付勢力を加える手段として、コイルばねやゴムなどの弾性変形を利用してもよい。また、駆動伝達部３１２，４１２や、スクリュ係合部３１３，４１３，５１３に付勢力を加えない構成としてもよい。
【００５０】
そして、センサ部２８２として、フォトセンサではなく、パルスカウンタを適用してもよい。さらに、鍔部２８１に接触子などを接触させて、位置を検出する構成としてもよい。また、鍔部２８１の代わりに、リードスクリュ２６０の径方向に突出する１個の突出部を設け、この突出部が所定位置を通過する回数に基づいて、位置を検出してもよい。そして、リードスクリュ２６０の外周面に例えば凹状の目印を設け、この目印の検出により、位置を検出してもよい。
【００５１】
さらに、第１ガイドシャフト２４１または第２ガイドシャフト２４２の外周面に螺旋状に係合溝を設けて、本発明のリードスクリュとして機能させ、この係合溝にラック３１３Ａ，４１３Ａ，５１３Ａを係合させる状態でスクリュ係合部３１３，４１３，５１３を設ける構成としてもよい。このような構成にすれば、リードスクリュ２６０を設ける必要がなくなり、部品点数を減らすことができ、機構を単純にできる。
【００５２】
また、第１ガイドシャフト２４１および第２ガイドシャフト２４２のうち、少なくともいずれか一方のみの位置を調整可能な構成としてもよい。
さらに、ピエゾモータ部２５２の代わりに、モータ軸部材２５１を軸方向に振動させる他の構成を適用してもよい。
【００５３】
その他、本発明の実施の際の具体的な構造および手順は、本発明の目的を達成できる範囲で他の構造などに適宜変更できる。
【００５４】
〔実施形態の効果〕
上述したように、上記実施形態では、ディスク装置１００に、モータ軸部材２５１の軸方向への振動によりピックアップボディ３０１を移動させる移動用モータ２５０と、駆動伝達部３１２をピックアップボディ３０１に連結する連結部３１１と、軸方向がピックアップボディ３０１の移動方向と略一致する状態で設けられたリードスクリュ２６０と、このリードスクリュ２６０に係合するラック３１３Ａを有しピックアップボディ３０１に連結されたスクリュ係合部３１３と、リードスクリュ２６０の回転状態に基づいて光ピックアップ３０４の位置を検出する位置検出部２８０および位置算出手段と、を設けている。
このため、ピックアップボディ３０１の移動に伴うリードスクリュ２６０の回転状態に基づいて、光ピックアップ３０４の位置を検出するので、モータ軸部材２５１の軸方向への振動によりピックアップボディ３０１を移動させる構成において、光ディスクにアドレス情報が記録されているか否かにかかわらず、光ピックアップ３０４の位置を適切に検出できる。
また、光ピックアップ３０４の位置を適切に検出できるので、光ピックアップ３０４で光ディスクに記録された情報を適切に読み取ったり、光ディスクに情報を適切に記録したりすることができる。
【図面の簡単な説明】
【００５５】
【図１】本発明の一実施形態に係るディスク装置の内部構成を部分的に破断して示す平面図である。
【図２】前記一実施形態におけるディスク処理部の概略構成を示す斜視図である。
【図３】前記一実施形態におけるディスク処理部の要部の概略構成を示す断面図である。
【図４】本発明の他の実施形態に係るディスク処理部の概略構成を示す斜視図である。
【図５】本発明のさらに他の実施形態に係る駆動伝達連結部材の概略構成を示す断面図である。
【図６】前記さらに他の実施形態におけるモータ軸部材が基準位置からずれた状態を示す断面図である。
【符号の説明】
【００５６】
１００…ディスク装置
２２１…ターンテーブル
２４０…ピックアップ位置検出装置を構成するガイド部
２４１，２４２…ガイド部材としての第１，第２ガイドシャフト
２４３…ガイド保持部としてのシャフト位置調整機構
２５０…ピックアップ位置検出装置を構成する移動用モータ
２５１…モータ軸部材
２５２…軸振動部としてのピエゾモータ部
２６０…ピックアップ位置検出装置を構成するリードスクリュ
２６１…係合溝
２７０…ピックアップ位置検出装置を構成する軸部材保持フレーム
２８０…ピックアップ位置検出装置を構成する位置検出部
２８１…鍔部
２８２…位置検出手段を構成するセンサ部
３０１…ピックアップ位置検出装置を構成するピックアップボディ
３０４…光ピックアップ
３１０，４１０，５１０…駆動伝達連結部材
３１１…連結部
３１２，４１２…駆動伝達部
３１３，４１３，５１３…スクリュ係合部
３１３Ａ，４１３Ａ，５１３Ａ…ラック
【図１】
2008251069.tif 000003
【図２】
2008251069.tif 000004
【図３】
2008251069.tif 000005
【図４】
2008251069.tif 000006
【図５】
2008251069.tif 000007
【図６】
2008251069.tif 000008